(57)【特許請求の範囲】
【請求項１】
連続して回転している複数段のローラ対間にシートを送り込んで折り畳むシート折り機において、給紙台に積載されたシート束から最上位のシートを間欠的に送り出して前記シート折り機の初段のローラ対間に送り込む給紙装置であって、
前記連続して回転している初段のローラ対のうち上側のローラに圧接されて該上側のローラの回転による駆動力を受け取る駆動力受取機構と、
前記駆動力受取機構で受け取った駆動力を伝達する駆動力伝達機構と、
前記の最上位のシートの表面に当接して、前記駆動力伝達機構で伝達された駆動力を該当接面に付与して該当接面の摩擦力により該最上位のシートを前記シート折り機の初段のローラ対間に送り込む駆動力放出機構と、
前記上側のローラから前記駆動力受取機構、前記駆動力伝達機構、前記駆動力放出機構を介して前記最上位のシートへ至る駆動力伝達路のいずれかの箇所を周期的に切り離して前記駆動力放出機構による給紙動作を間欠的に実行させる駆動力伝達路切離し機構と
を具備、さらに、
前記駆動力伝達機構に該駆動力伝達機構の駆動力により回転駆動される上側の回転式カッター刃が搭載され、該上側の回転式カッター刃はシート折り機のフレームに搭載された下側の回転式カッター刃と対になって、該上下両側の回転式カッター刃の剪断力により前記給紙台から送り出されるシートをその幅方向の途中位置で裁断するシート折り機の給紙装置。
【請求項２】
連続して回転している複数段のローラ対間にシートを送り込んで折り畳むシート折り機において、給紙台に積載されたシート束から最上位のシートを間欠的に送り出して前記シート折り機の初段のローラ対間に送り込む給紙装置のカッター装置であって、
前記連続して回転している初段のローラ対のうち上側のローラに圧接されて該上側のローラの回転による駆動力を受け取る駆動力受取機構と、
前記駆動力受取機構で受け取った駆動力を伝達する駆動力伝達機構とを有し、かつ、
前記駆動力伝達機構に該駆動力伝達機構の駆動力により回転駆動される上側の回転式カッター刃が搭載され、該上側の回転式カッター刃はシート折り機のフレームに搭載された下側の回転式カッター刃と対になって、該上下両側の回転式カッター刃の剪断力により前記給紙台から送り出されるシートをその幅方向の途中位置で裁断するシート折り機の給紙装置のカッター装置。
【請求項３】
前記駆動力受取機構が前記初段のローラ対のうち上側のローラに圧接されて該上側のローラの回転に従動して回転する従動ローラで構成される請求項２記載のシート折り機の給紙装置のカッター装置。
【請求項４】
前記駆動力受取機構、前記駆動力伝達機構が共通の給紙装置フレームに搭載され、該給紙装置フレームがシート折り機のフレームに固定装着されている請求項２または３記載のシート折り機の給紙装置のカッター装置。
【発明の詳細な説明】
【技術分野】
【０００１】
この発明は連続して回転している複数段のローラ対間にシートを送り込んで折り畳むシート折り機において、給紙台に積載されたシート束から最上位のシートを間欠的に送り出して前記シート折り機の初段のローラ対間に送り込む給紙装置に関し、給紙装置に駆動力を伝達するシート折り機の回転軸棒が、ギヤを具えずに該駆動力を給紙装置に伝達できるようにしたシート折り機の給紙装置を提供しようとするものである。また、この発明は、給紙装置のカッター装置を提供しようとするものである。
【背景技術】
【０００２】
連続して回転している複数段のローラ対間にシートを送り込んで折り畳むシート折り機において給紙装置を備えた従来のシート折り機として本出願人の出願に係る下記特許文献１に記載されたものがある。これは図８に平面図で示すように、封緘用ローラ（１０７）の回転軸棒および給紙ローラ（４２）の回転軸棒の各両端部をシート折り機の左右の支持板（フレーム）（２６，２８）に回転自在に支持し、一方の支持板（２８）の外側の位置（筐体内に隠れる位置）で、封緘用ローラ（１０７）の回転軸棒の回転を、該回転軸棒の一端部に装着されたギヤ（１５３）から給紙ローラ（４２）の回転軸棒の一端部に装着されたギヤ（１６１）に伝達し、さらに該ギヤ（１６１）と同軸に配置された電磁クラッチ（１５９）を介して給紙ローラ（４２）の回転軸棒に伝達して給紙ローラ（４２）を回転駆動するようにしたものである（括弧内の符号は特許文献１で使用されている符号を示す）。
【先行技術文献】
【特許文献】
【０００３】
【特許文献１】特開２００１−１３０８３１（図２）
【発明の概要】
【発明が解決しようとする課題】
【０００４】
特許文献１に記載の給紙装置によれば、給紙装置に駆動力を伝達する封緘用ローラ（１０７）の回転軸棒はその端部に、該駆動力を給紙装置に伝達するためのギヤ（１５３）を具える必要があった。このためギヤ（１５３）がシート折り機の全体の幅を増大させる原因となったり、給紙装置を備えていない既存の手差し式シート折り機にギヤ（１５３）を容易に追加できないため給紙装置を後付けで追加するのが困難である等の不都合があった。
【０００５】
この発明は上述の点に鑑みてなされたもので、給紙装置に駆動力を伝達するシート折り機の回転軸棒が、ギヤを具えずに該駆動力を給紙装置に伝達できるようにしたシート折り機の給紙装置を提供しようとするものである。また、この発明は、給紙装置のカッター装置を提供しようとするものである。
【課題を解決するための手段】
【０００６】
この発明のシート折り機の給紙装置は、連続して回転している複数段のローラ対間にシートを送り込んで折り畳むシート折り機において、給紙台に積載されたシート束から最上位のシートを間欠的に送り出して前記シート折り機の初段のローラ対間に送り込む給紙装置であって、前記連続して回転している初段のローラ対のうち上側のローラに圧接されて該上側のローラの回転による駆動力を受け取る駆動力受取機構と、前記駆動力受取機構で受け取った駆動力を伝達する駆動力伝達機構と、前記の最上位のシートの表面に当接して、前記駆動力伝達機構で伝達された駆動力を該当接面に付与して該当接面の摩擦力により該最上位のシートを前記シート折り機の初段のローラ対間に送り込む駆動力放出機構と、前記上側のローラから前記駆動力受取機構、前記駆動力伝達機構、前記駆動力放出機構を介して前記最上位のシートへ至る駆動力伝達路のいずれかの箇所を周期的に切り離して前記駆動力放出機構による給紙動作を間欠的に実行させる駆動力伝達路切離し機構とを具備してなるものである。
【０００７】
この発明によれば、初段のローラ対のうち上側のローラに駆動力受取機構を圧接させて該上側のローラの回転による駆動力を受け取るようにしたので、給紙装置に駆動力を伝達するシート折り機の回転軸棒は、ギヤを具えずに該駆動力を給紙装置に伝達することができる。したがって該ギヤがシート折り機の全体の幅を増大させる原因となるのを防止できる。また給紙装置に駆動力を伝達するシート折り機の回転軸棒は該ギヤを具えなくて済むので、給紙装置を備えていない既存の手差し式シート折り機に給紙装置を後付けで追加することも容易となる。
【０００８】
この発明は前記駆動力受取機構が前記初段のローラ対のうち上側のローラに圧接されて該上側のローラの回転に従動して回転する従動ローラで構成され、前記駆動力放出機構が給紙ローラで構成され、前記駆動力伝達機構が前記従動ローラの回転を前記給紙ローラに伝達する伝達機構で構成されたものとすることができる。
【０００９】
この発明は前記駆動力受取機構、前記駆動力伝達機構、前記駆動力放出機構が共通の給紙装置フレームに搭載され、該給紙装置フレームがシート折り機のフレームに固定装着されているものとすることができる。これによれば、駆動力受取機構、駆動力伝達機構、駆動力放出機構を共通の給紙装置フレームに搭載してアセンブリ化した状態で、該給紙装置フレームをシート折り機のフレームに固定装着することにより、給紙装置をシート折り機に搭載することができるので、シート折り機に対する給紙装置の搭載を容易にすることができ、特に給紙装置を後付けでシート折り機に搭載するのが容易となる。
【００１０】
この発明は前記駆動力伝達路切離し機構を例えば、前記駆動力伝達機構に配置された電磁クラッチ等の自動式クラッチで構成することができる。
【００１１】
この発明は前記駆動力伝達機構に該駆動力伝達機構の駆動力により回転駆動される上側の回転式カッター刃が搭載され、該上側の回転式カッター刃はシート折り機のフレームに搭載された下側の回転式カッター刃と対になって、該上下両側の回転式カッター刃の剪断力により前記給紙台から送り出されるシートをその幅方向の途中位置で裁断するものとすることができる。これによれば、上側の回転式カッター刃をシート折り機に容易に搭載することができる。
この発明の給紙装置のカッター装置は、連続して回転している複数段のローラ対間にシートを送り込んで折り畳むシート折り機において、給紙台に積載されたシート束から最上位のシートを間欠的に送り出して前記シート折り機の初段のローラ対間に送り込む給紙装置のカッター装置であって、前記連続して回転している初段のローラ対のうち上側のローラに圧接されて該上側のローラの回転による駆動力を受け取る駆動力受取機構と、前記駆動力受取機構で受け取った駆動力を伝達する駆動力伝達機構とを有し、かつ、前記駆動力伝達機構に該駆動力伝達機構の駆動力により回転駆動される上側の回転式カッター刃が搭載され、該上側の回転式カッター刃はシート折り機のフレームに搭載された下側の回転式カッター刃と対になって、該上下両側の回転式カッター刃の剪断力により前記給紙台から送り出されるシートをその幅方向の途中位置で裁断するものである。
【図面の簡単な説明】
【００１２】
【図１】この発明の実施の形態に係る給紙装置を搭載したシート折り機（封緘機）を内部を透視した状態で示す側面図である。
【図２】図１のシート折り機においてシート折り畳み用ローラの一部および給紙装置を透視した状態を示す平面図である。
【図３】図１のシート折り機においてシート折り畳み用ローラの一部および給紙装置を透視した状態を示す正面図である。
【図４】図１の封緘機による封緘作業の手順を示す工程図である。
【図５】図１の給紙装置を給紙装置フレームの天板を一部破断して示した斜視図である。
【図６】シート折り機側に搭載される下側カッター刃装置を示す斜視図である。
【図７】図６の下側カッター刃装置の正面図、平面図、左右両側面図である。
【図８】特許文献１に記載のシート折り機の給紙装置を示す平面図である。
【発明を実施するための形態】
【００１３】
この発明の実施の形態を以下説明する。これはシート折り機能と封緘機能を持たせたシート折り機（封緘機）にこの発明を適用したものである。シート折り機能は紙片をＺ型の３つ折りに折り畳むものである。この封緘機１０は、筐体９内のメカベース上に２枚の支持部材１６，１９（シート折り機のフレーム）（図２、図３）を互いに平行に立設し、該支持部材１６，１９間に、給紙台１２、給紙装置１４を支持する支持部材８（シート折り機のフレーム）（図２、図３）、シート折り畳み用の４本のローラＲ１，Ｒ２，Ｒ３，Ｒ４（図１）、２枚の羽根板１８，２０（案内部材）（図１）を支持している。ローラＲ１〜Ｒ４はそれぞれの軸が給紙装置１４の給紙方向と直角にかつ互いに平行でかつ水平に配置されている。給紙台１２の下方位置にはスタッカ２２（図１）が配置されている。ローラＲ１の上面にはローラＲ２が当接し、ローラＲ１の背面（給紙台１２側から見てローラＲ１の裏側の面）にはローラＲ３が当接し、ローラＲ１の下面にはローラＲ４が当接している（図１）。ローラＲ１〜Ｒ４は駆動装置（モータ）と伝達機構（ギヤ）により図１に矢印で示す方向にそれぞれ回転駆動される。駆動装置および伝達機構は特許文献１に記載されたもの（図８）と同じであり、図示を省略する。
【００１４】
ローラＲ１，Ｒ２は初段のローラ対を構成し、ローラＲ１，Ｒ３は次段のローラ対を構成し、ローラＲ１，Ｒ４は最終段のローラ対を構成する。最終段のローラ対Ｒ１，Ｒ４は、最終回の折り畳みと圧着による封緘を同時に行うもので、十分な加圧力を発生させるために全体が鉄等の金属で構成された金属ローラでそれぞれ構成されており、圧着ローラを構成する。他のローラＲ２，Ｒ３は、ローラＲ１との組合せで給紙装置１４から送給されるシート３０の引き込みと、初回の折り畳みを行うもので、低騒音化のために金属ローラの表面にゴム等の弾性部材を被覆したゴムローラ等の弾性ローラでそれぞれ構成されている。ローラＲ１，Ｒ４は大きな加圧力に耐え得るように、他のローラＲ２，Ｒ３に比べて大径に構成されている。給紙装置１４はローラＲ２の上方に配置された支持部材８（シート折り機のフレーム）（図２、図３）に支持されて給紙台１２に対面し、初段のローラ対Ｒ１，Ｒ２のうち上側のローラＲ２から駆動力を受けて、給紙台１２に積載されているシート束２４（図１）の最上位のシート３０を給紙台１２から排出する。なおモータは操作者のスタート操作により起動されると、給紙台１２のシート束２４が全部送り出され折り畳まれ封緘されてスタッカ２２に排出されたことが検出されるまで一定速度で回転し続け、これに伴いローラＲ１〜Ｒ４もその間回転し続ける。これに対し給紙装置１４の給紙ローラ１００は後述するように電磁クラッチ８８の作用により間欠的に回転駆動されてシート３０を給紙台１２から間欠的に排出する。
【００１５】
給紙装置１４から排出されたシート３０は、支持部材１６，１９間に水平の姿勢で固定装着された支持台３８（図１、図３）上を滑って初段のローラ対Ｒ１，Ｒ２間に引き込まれる。シート３０はＡ４判の紙製で、Ｚ型に３つ折りされて定型封書大の封緘体に封緘されるものであり、２箇所の折り返し位置（図４の符号３４，３６）にミシン目をつけて、折り返しやすくしている。また、シート３０には予め周縁部および折り返し位置に沿って所定箇所に感圧式糊が塗布されている。また、シート３０にはレーザプリンタなどのページプリンタ等によって必要事項がすでに印字されている。
【００１６】
図１において、羽根板１８は２枚の金属板４０，４２を所定のギャップを隔てて対向配置して、案内空間４４を形成して組み立てられている。案内空間４４には後端部付近にストッパ４６が配置されている。案内空間４４の前端開口部４８はローラＲ１，Ｒ２，Ｒ３に挟まれた空間に開口している。羽根板２０は２枚の金属板４９，５０を所定のギャップを隔てて対向配置して、案内空間５２を形成して組み立てられている。案内空間５２には後端部付近にストッパ５４が配置されている。案内空間５２の前端開口部５６はローラＲ１，Ｒ３，Ｒ４に挟まれた空間に開口している。
【００１７】
給紙装置１４から支持台３８上を経て送給されるシート３０は、最初にローラ対Ｒ１，Ｒ２間に引き込まれて前端開口部４８から案内空間４４に送り込まれる。シート３０が長手方向の２／３位までローラ対Ｒ１，Ｒ２間を通過すると、シート３０の先端部がストッパ４６で係止される。シート３０はなおもローラ対Ｒ１，Ｒ２によって送り込まれるので、シート３０は長手方向の２／３の位置に形成されているミシン目３４で下方に折り返される。その折り返された箇所は今度はローラ対Ｒ１，Ｒ３間に引き込まれて、最初の折り畳みが行われ、該折り畳まれた片は前端開口部５６から案内空間５２に送り込まれる。シート３０の折り畳まれた片がローラ対Ｒ１，Ｒ３間を通過すると、シート３０の先端部（折り返し位置３４）がストッパ５４で係止される。シート３０はなおもローラ対Ｒ１，Ｒ３によって送り込まれるので、シート３０はもう一方のミシン目３６で折り返される。その折り返された箇所は今度はローラ対Ｒ１，Ｒ４間に引き込まれて２回目（最終回）の折り畳みと圧着による封緘が行われて排出され、これによりＺ型に３つ折りされた封緘体３０ａが完成し、スタッカ２２に堆積される。スタッカ２２に堆積された封緘体は手で取り出すことができる。
【００１８】
以上説明した封緘機１０による封緘処理の工程を図４に示す。(1)給紙台１２に載置されたシート束２４から、(2)給紙装置１４によって最上位のシート３０が送り出され、(3)初段のローラ対Ｒ１，Ｒ２に引き込まれて、上側の羽根板１８に案内される。(4)シート３０の先端がストッパ４６で係止されると折り返し位置３４で折り返され、次段のローラ対Ｒ１，Ｒ３で最初の折り畳みを行いながら下側の羽根板２０に案内される。先端（折り返し位置３４）がストッパ５４で係止されると、折り返し位置３６で折り返され、(5)最終段のローラ対Ｒ１，Ｒ４で２回目（最終回）の折り畳みを行いながら、(6)折り畳まれた各片３０−１，３０−２，３０−３が相互に圧着されて封緘体３０ａが完成し、該ローラ対Ｒ１，Ｒ４から排出される。(7)排出された封緘体３０ａはスタッカ２２に堆積される。
【００１９】
給紙装置１４について説明する。図５は給紙装置１４の全体構造を示す。給紙装置１４は給紙装置フレーム６０に、互いに平行かつ水平に配列された４本の回転軸棒６２，６４，６６，６８を回転自在に支持して、全体が一つに組み立てられたアセンブリとして構成されている。給紙装置フレーム６０の後部は下方に折り曲げられて、給紙装置１４を封緘機１０の支持部材８（図２、図３）に取り付けるための取付板６０ａを構成している。取付板６０ａの左右両端部には支持部材８に立設されたピン７０，７２（図３）にそれぞれ係合して給紙装置フレーム６０を支持部材８に対して位置決めする切欠７４，７６が形成されている。給紙装置フレーム６０は取付板６０ａに形成されたねじ通し孔７８，８０（図５）を通してねじを支持部材８に形成されたねじ穴（図示せず）にねじ込むことにより支持部材８にねじ止めされる。これにより給紙装置１４は封緘機１０に搭載される。
【００２０】
給紙装置１４の回転軸棒６２にはゴム等の弾性部材による従動ローラ８２（駆動力受取機構）が固定装着されている。従動ローラ８２はシート折り機の初段のローラ対Ｒ１，Ｒ２のうち上側のローラＲ２の手前側（給紙台１２寄りの側）の面に常時圧接されて該上側のローラＲ２の回転に従動して回転する。回転軸棒６４にはゴム等の弾性部材によるローラ８４が固定装着されている。ローラ８４は従動ローラ８２に圧接されて、従動ローラ８２に従動して回転する。回転軸棒６４の一端部にはギヤ８６が固定装着されている。回転軸棒６６の一端部には電磁クラッチ８８（駆動力伝達路切離し機構）が装着されている。電磁クラッチ８８はここでは小倉クラッチ株式会社製乾式単板クラッチ「マイクロ電磁クラッチＡＭＣ２．５Ｅ」を使用している。電磁クラッチ８８は入力軸にギヤ９０が固定装着され、回転軸棒６６が出力軸とされている。電磁クラッチ８８は通電により励磁されると入力軸と出力軸が結合され、通電が遮断されると消磁されて入力軸と出力軸が切り離される。電磁クラッチ８８の固定部９２は給紙装置フレーム６０に支持された回り止め用の支持ピン９４に支持されて回転不能とされている。回転軸棒６４の一端部に装着されたギヤ８６は電磁クラッチ８８の入力軸に装着されたギヤ９０に噛み合っている。これにより回転軸棒６４が回転するとこれに従動して電磁クラッチ８８の入力軸が回転する。このとき電磁クラッチ８８が励磁されているタイミングでは電磁クラッチ８８が結合状態となり出力軸である回転軸棒６６は駆動されて回転し、電磁クラッチ８８が消磁されているタイミングでは電磁クラッチ８８が切り離された状態となり回転軸棒６６は回転駆動が停止される。回転軸棒６６にはギヤ９６が固定装着されている。回転軸棒６８にはギヤ９８およびゴム等の弾性部材による給紙ローラ１００（駆動力放出機構）が固定装着されている。ギヤ９６はギヤ９８に噛み合っている。給紙ローラ１００は給紙台１２に積載されたシート束２４の最上位のシート３０の表面に当接している。給紙台１２に積載されたシート束２４の先端部は給紙台１２の上面の先端部に装着された板ばね（図示せず）により上方に付勢され、これにより給紙ローラ１００とシート３０との間に該当接力を与えている。なお従動ローラ８２（駆動力受取機構）と給紙ローラ１００（駆動力放出機構）との間に配置されたローラ８４およびギヤ８６，９０，９６，９８等によりこの発明の「駆動力伝達機構」が構成される。またローラＲ２から駆動力受取機構（従動ローラ８２）、駆動力伝達機構（ローラ８４およびギヤ８６，９０，９６，９８等）、駆動力放出機構（給紙ローラ１００）を介して最上位のシート３０へ至る給紙駆動力の伝達経路がこの発明の「駆動力伝達路」を構成する。
【００２１】
以上の構成によれば、ローラＲ２の回転はローラ８２，８４およびギヤ８６，９０を介して電磁クラッチ８８の入力軸に伝達される。このとき電磁クラッチ８８が励磁されているタイミングでは、電磁クラッチ８８の入力軸の回転はその出力軸である回転軸棒６６に伝達され、回転軸棒６６の回転はギヤ９６，９８を介して給紙ローラ１００に伝達される。図５中の矢印はこのときの各ローラ８２，８４，１００および各ギヤ８６，９０，９６，９８の回転方向を示す。これにより給紙ローラ１００は給紙台１２の最上位のシート３０をシート折り機の初段のローラ対Ｒ１，Ｒ２間に送り込む。また電磁クラッチ８８が消磁されているタイミングでは、電磁クラッチ８８の入力軸の回転はその出力軸である回転軸棒６６に伝達されず、回転軸棒６６，６８は空回りする状態となる。
【００２２】
電磁クラッチ８８の励磁・消磁のタイミングは例えば時間で制御される。すなわち１回の励磁時間は、励磁が開始（給紙台１２のシート３０の搬送が開始）されてから該シート３０の前端部が初段のローラ対Ｒ１，Ｒ２に引き込まれるのに十分な時間でかつ該シート３０の後端部が給紙ローラ１００を通過するのに要する時間よりも短い時間（例えば０．８秒）に設定する。また励磁周期はローラＲ１〜Ｒ４内で前後のシート３０どうしが相互に干渉し合わない時間（例えば１．５秒）に設定する。このような電磁クラッチ８８の時間制御により、ローラＲ１〜Ｒ４が駆動されている状態で電磁クラッチ８８が駆動されて給紙ローラ１００が回転駆動されると、シート束２４の最上位のシート３０が給紙台１２から排出されてローラ対Ｒ１，Ｒ２間に引き込まれる。ローラ対Ｒ１，Ｒ２によるシート３０の引き込みが開始された後電磁クラッチ８８は消磁され給紙ローラ１００の駆動は停止されるが、給紙ローラ１００はシート３０に当接したままなので、シート３０が排出されるまでシート３０の移動に従動して空回りする。シート３０が給紙台１２から排出されると給紙ローラ１００は次の最上位のシート３０の表面に当接した状態で停止し、次に電磁クラッチ８８が励磁されるまで停止した状態を保つ。このようにしてシート３０を一枚ずつ給紙台１２からローラ対Ｒ１，Ｒ２間に送り出して連続的（間欠的）に折り畳みおよび封緘を行うことができる。なお支持台３８にはシート３０が複数枚重なったまま送り出されるのを防止するための摩擦板等の周知の重送防止機構（紙さばき機構）が配置されている。また電磁クラッチ８８の励磁・消磁のタイミングは、時間制御に代えて、シート３０の前端部または後端部が所定位置を通過したことを光学式等のセンサで検出して行うこともできる。
【００２３】
この実施の形態における封緘機１０はＡ４版大のシート３０をそのまま折り畳んで封書の大きさに封緘する機能と、Ａ４版大のシート３０をその幅方向（短手方向）の途中位置で裁断した後折り畳んでハガキの大きさに封緘する機能を選択して使用できるように構成されている。後者の機能を実現するために給紙装置１４の回転軸棒６４（図５）には上側の回転式カッター刃１０２が装着されている。上側の回転式カッター刃１０２は支持台３８の下面に配置された下側の回転式カッター刃１０４（図６、図７）と対になって、給紙台１２から送り出されるシート３０をその幅方向の途中位置（ハガキの長手方向の長さに相当する位置）で裁断する。
【００２４】
支持台３８の下面に装着される下側カッター刃装置１０６を図６、図７に示す。下側カッター刃装置１０６はそのフレーム１０８を支持台３８の下面にねじ止めして装着される。フレーム１０８には給紙装置１４の回転軸棒６４（図５）の直下に相当する位置（図１参照）に回転軸棒１１１が回転軸棒６４と平行にかつ回転自在に支持されている。回転軸棒１１１には揺動部材１１３が固定装着されている。揺動部材１１３の上部には回転軸棒１１５が回転自在に支持されている。回転軸棒１１５には下側の回転式カッター刃１０４が固定装着されている。回転軸棒１１１にはコイルばね１１６が通されている。コイルばね１１６はフレーム１０８の左壁部１０８ａと揺動部材１１３の左壁部１１３ａとの間に圧縮して配置され、これにより揺動部材１１３には給紙方向に向かって右方向への付勢力が与えられている。フレーム１０８の右壁部１０８ｂにはスプリングプランジャー（ボールプランジャー）１１７がねじ込み装着されている。揺動部材１１３の右壁部１１３ｂの外側の面にはスプリングプランジャー１１７の先端のボール１１７ａ（図７（ａ））が嵌り込む２個の受け穴１１９，１２１（図７（ｃ））が、揺動部材１１３の揺動軸（回転軸棒１１１の中心）を中心とする同一半径位置でかつ周方向に相互にずれた位置に形成されている。揺動部材１１３が直立した位置ではボール１１７ａは受け穴１１９に嵌り込む。このとき下側の回転式カッター刃１０４の上部は支持台３８に形成された開口部３８ａ（図１）を通して支持台３８の上方に進入する。このときカッター刃１０２の下部とカッター刃１０４の上部が互いの面１０２ａ，１０４ａどうしをほぼ隙間なく対面させた状態となる（図３参照）。給紙台１２から送り出されるシート３０はカッター刃１０２，１０４の上下方向の中間位置に進入して、回転駆動される上側のカッター刃１０２およびシート３０の移動に伴い従動回転する下側のカッター刃１０４とによる剪断作用により幅方向の所定位置（ハガキの長手方向の長さに相当する位置）で裁断される。幅方向に裁断されたシート３０は幅方向全体が羽根板１８（図１）の案内空間４４に進入するが、羽根板１８のストッパ４６は裁断されたシート３０の切れ端部分に相当する位置には形成されていないため、該切れ端部分はストッパ４６で係止されずに案内空間４４の端部開口部４４ａから外部に排出される。切れ端部分の排出を促進するために、羽根板１８には該切れ端部分が通過する位置に、モータ駆動される図示しないローラ対が別途配置され、該ローラ対の駆動により切れ端部分は端部開口部４４ａから案内空間４４の外に排出される。裁断されたシート３０の本体部分はローラＲ１〜Ｒ４でハガキ大の大きさに折り畳まれかつ封緘されてスタッカ２２に排出される。
【００２５】
下側カッター刃装置１０６の揺動部材１１３の取っ手１２３（図６、図７）を指で押すとボール１１７ａと受け穴１１９の嵌合が外れて、揺動部材１１３は回転軸棒１１１を中心として回動し、ボール１１７ａが受け穴１２１に嵌合した位置で揺動部材１１３は停止する。このときカッター刃１０４は斜め下方に移動してカッター刃１０２から離れるのでカッター刃１０２，１０４によるシート３０の裁断は行われなくなる。またこのとき羽根板１８に配置された切れ端部分を排出するための前記ローラ対は互いに離されて排出作用をしなくなる。したがってこの状態で給紙台１２からシート３０を送り出すと、該シート３０はローラＲ１〜Ｒ４でＡ４版を三つ折りした定型封書大の大きさに折り畳まれかつ封緘されてスタッカ２２に排出される。
【００２６】
前記実施の形態では駆動力受取機構を従動ローラ８２で構成したが、これに限らず無端ベルト等で構成することもできる。また前記実施の形態では駆動力伝達機構をローラ８４およびギヤ８６，９０，９６，９８等で構成したが、これに限らず無端ベルト、チェーン等で構成することもできる。また前記実施の形態では駆動力放出機構を給紙ローラ１００で構成したが、これに限らず無端ベルト等で構成することもできる。また前記実施の形態では駆動力伝達路切離し機構を駆動力伝達機構中に配置した電磁クラッチ８８で構成したが、上側のローラＲ２から駆動力受取機構を引き離す機構、給紙台１２の最上位のシート３０から駆動力放出機構を引き離す機構等にとして構成することもできる。また前記実施の形態では４本のローラＲ１〜Ｒ４を組み合わせて３段のローラ対でシート折り機を構成したが、これに限らず様々な本数および様々な段数で構成したシート折り機をこの発明を適用することができる。折り方も三つ折りに限らず二つ折り、四つ折り等をするシート折り機に適用することができる。また前記実施の形態ではシート折り機能と封緘機能を持つ封緘機にこの発明を適用した場合について示したが、封緘機能を持たないシート折り専用機にこの発明を適用することもできる。またこの発明は紙片によらず、樹脂フィルム片等のシートの折り畳みを行うシート折り機の給紙装置に適用することもできる。
【符号の説明】
【００２７】
８，１６，１９…支持部材（シート折り機のフレーム）、１０…封緘機（シート折り機）、１２…給紙台、１４…給紙装置、２４…シート束、３０…最上位のシート、６０…給紙装置フレーム、８２…従動ローラ（駆動力受取機構）、８４，８６，９０，９６，９８…駆動力伝達機構、８８…自動式クラッチ（駆動力伝達路切離し機構）、１００…給紙ローラ（駆動力放出機構）、１０２…上側の回転式カッター刃、１０４…下側の回転式カッター刃、Ｒ１・Ｒ２，Ｒｉ・Ｒ３，Ｒｉ・Ｒ４…複数段のローラ対、Ｒ１・Ｒ２…初段のローラ対、Ｒ２…初段のローラ対の上側のローラ
【図１】
0005683212.tif 000002
【図２】
0005683212.tif 000003
【図３】
0005683212.tif 000004
【図４】
0005683212.tif 000005
【図５】
0005683212.tif 000006
【図６】
0005683212.tif 000007
【図７】
0005683212.tif 000008
【図８】
0005683212.tif 000009